(57)【要約】【課題】筐体の開閉に拘わらず、雨水等の外部から流入した水が溜まるのを抑えることができる移動体の排水構造を提供する。【解決手段】移動体１は、ヒンジ部を介して、互いの端部同士を接続された下部ユニットおよび上部ユニットと、上部ユニットの周囲を覆う外装部と、外装部の底面に設けられ、底面に対して、高さ方向で傾斜した部位を有する曲げ形状部２０１と、曲げ形状部２０１に設けられ、外装部の内側から外側へ開口した水抜き穴２０２とを備えている。上部ユニット（外装部）は、ヒンジ部を支点に回動して開閉する構成とされている。水抜き穴２０２は、曲げ形状部２０１における傾斜の頂点を含むように設けられている。【選択図】図５
2018176841.tif 000002
【特許請求の範囲】
【請求項１】
路面を走行する移動体に用いられる排水構造であって、
ヒンジ部を介して、互いの端部同士を接続された下部ユニットおよび上部ユニットと、
前記上部ユニットの周囲を覆う外装部と、
前記外装部の底面に設けられ、該底面に対して、高さ方向で傾斜した部位を有する曲げ形状部と、
前記曲げ形状部に設けられ、前記外装部の内側から外側へ開口した水抜き穴とを備え、
前記上部ユニットは、前記ヒンジ部を支点に回動して開閉する構成とされ、
前記水抜き穴は、前記曲げ形状部における傾斜の頂点を含むように設けられていること
を特徴とする排水構造。
【請求項２】
請求項１に記載の排水構造であって、
前記曲げ形状部は、
前記ヒンジ部から離間するに従って、下方へ傾斜する第１面部と、
前記第１面部とは異なる角度で、該第１面部の下端から延伸された第２面部とで構成され、
前記水抜き穴は、前記第１面部と前記第２面部との接点に設けられていること
を特徴とする排水構造。
【請求項３】
請求項２に記載の排水構造であって、
前記上部ユニットを開けた際、水平方向に対して傾斜した角度を開放角度とし、前記第１面部が前記水平方向に対して傾斜した角度を第１面角度としたとき、
前記第１面角度は、前記開放角度より大きいこと
を特徴とする排水構造。
【請求項４】
請求項２または請求項３に記載の排水構造であって、
前記第２面部は、前記水抜き穴に向かうに従って、下方へ傾斜していること
を特徴とする排水構造。
【請求項５】
請求項１から請求項４までのいずれか１つに記載の排水構造であって、
前記曲げ形状部は、下方へ向かうに従って、前記水抜き穴へ接近するように延伸されたガイド部を有し、
前記ガイド部は、周囲に対して段差が設けられていること
を特徴とする排水構造。
【請求項６】
請求項１から請求項５までのいずれか１つに記載の排水構造であって、
前記水抜き穴の周囲には、前記曲げ形状部の傾斜と交わる方向で傾斜した誘導傾斜部が設けられていること
を特徴とする排水構造。
【請求項７】
請求項１から請求項６までのいずれか１つに記載の排水構造であって、
前記外装部は、上面視において、前記下部ユニットより外側へ突出した形状とされ、
前記曲げ形状部は、上面視において、前記下部ユニットより外側の領域に設けられていること
を特徴とする排水構造。
【請求項８】
請求項１から請求項７までのいずれか１つに記載の排水構造であって、
前記水抜き穴は、長手方向が前記移動体の進行方向となるように設定された長穴とされていること
を特徴とする排水構造。
【請求項９】
請求項１から請求項８までのいずれか１つに記載の排水構造を備えた移動体。
【発明の詳細な説明】
【技術分野】
【０００１】
本発明は、路面を走行する移動体に用いられる排水構造、および排水構造を備えた移動体に関する。
【背景技術】
【０００２】
近年、路面を自律走行する移動体は、屋内に留まらず、屋外でも使用されており、様々な環境に対応することが求められている。屋外においては天候の変化が考慮され、雨天時などでは、移動体が風雨に晒されて内部に水が入り込むことがあった。そのため、内部に溜まった雨水等を排出するために水抜き穴を形成することが提案されている（例えば、特許文献１参照）。
【先行技術文献】
【特許文献】
【０００３】
【特許文献１】国際公開第２０１５／０４０７０８号
【発明の概要】
【発明が解決しようとする課題】
【０００４】
特許文献１に記載の車体のドア構造では、ドアと、ドアガラスと、ベルトライン部に取り付けられたウェザストリップとを備え、ウェザストリップの最下点のみに、１つの水抜き穴が重力方向上下に貫通形成されている。
【０００５】
ところで、筐体が開閉部を有する場合、単に水抜き穴を設けただけでは、筐体を開けが場合と閉じた場合とで、水抜き穴の位置が変化するため、いずれの場合でも適切に排水できる水抜き穴とすることが望ましい。しかしながら、上述したドア構造では、水平方向に沿ってドアを開閉させる構造しか考慮されておらず、異なる方向へ開閉させる構造とした際に、水抜き穴が最下点からずれてしまう虞がある。
【０００６】
本発明は、上記の課題を解決するためになされたものであり、筐体の開閉に拘わらず、雨水等の外部から流入した水が溜まるのを抑えることができる排水構造およびそれを備えた移動体を提供することを目的とする。
【課題を解決するための手段】
【０００７】
本発明に係る排水構造は、路面を走行する移動体に用いられる排水構造であって、ヒンジ部を介して、互いの端部同士を接続された下部ユニットおよび上部ユニットと、前記上部ユニットの周囲を覆う外装部と、前記外装部の底面に設けられ、該底面に対して、高さ方向で傾斜した部位を有する曲げ形状部と、前記曲げ形状部に設けられ、前記外装部の内側から外側へ開口した水抜き穴とを備え、前記上部ユニットは、前記ヒンジ部を支点に回動して開閉する構成とされ、前記水抜き穴は、前記曲げ形状部における傾斜の頂点を含むように設けられていることを特徴とする。
【０００８】
本発明に係る排水構造では、前記曲げ形状部は、前記ヒンジ部から離間するに従って、下方へ傾斜する第１面部と、前記第１面部とは異なる角度で、該第１面部の下端から延伸された第２面部とで構成され、前記水抜き穴は、前記第１面部と前記第２面部との接点に設けられている構成としてもよい。
【０００９】
本発明に係る排水構造では、前記上部ユニットを開けた際、水平方向に対して傾斜した角度を開放角度とし、前記第１面部が前記水平方向に対して傾斜した角度を第１面角度としたとき、前記第１面角度は、前記開放角度より大きい構成としてもよい。
【００１０】
本発明に係る排水構造では、前記第２面部は、前記水抜き穴に向かうに従って、下方へ傾斜している構成としてもよい。
【００１１】
本発明に係る排水構造では、前記曲げ形状部は、下方へ向かうに従って、前記水抜き穴へ接近するように延伸されたガイド部を有し、前記ガイド部は、周囲に対して段差が設けられている構成としてもよい。
【００１２】
本発明に係る排水構造では、前記水抜き穴の周囲には、前記曲げ形状部の傾斜と交わる方向で傾斜した誘導傾斜部が設けられている構成としてもよい。
【００１３】
本発明に係る排水構造では、前記外装部は、上面視において、前記下部ユニットより外側へ突出した形状とされ、前記曲げ形状部は、上面視において、前記下部ユニットより外側の領域に設けられている構成としてもよい。
【００１４】
本発明に係る排水構造では、前記水抜き穴は、長手方向が前記移動体の進行方向となるように設定された長穴とされている構成としてもよい。
【００１５】
本発明に係る移動体は、本発明に係る排水構造を備えることを特徴とする。
【発明の効果】
【００１６】
本発明によると、外装部を開けた際でも、閉じた際でも、流水の流れが集中する箇所に水抜き穴を設けることで、雨水等の外部から流入した水が溜まるのを抑えることができる。また、水抜き穴を設けて排水する箇所を特定することで、外装部を開けた際に、意図しない流水の流れによって、移動体の内部へ水が落ちることを抑制することできる。
【図面の簡単な説明】
【００１７】
【図１】本発明の第１実施形態に係る移動体を示す概略側面図である。
【図２】図１に示す移動体において、上部ユニットが開いた状態を示す概略側面図である。
【図３】図１に示す移動体を上面視した状態を示す概略上面図である。
【図４】外装部の内側から見た曲げ形状部を示す拡大上面図である。
【図５】図４の矢符Ａ−Ａでの断面を示す拡大断面図である。
【図６】外装部を開けた状態での水抜き穴近傍の断面を示す拡大断面図である。
【図７】本発明の第２実施形態における外装部の内側から見た曲げ形状部を示す拡大上面図である。
【図８】本発明の第３実施形態における水抜き穴近傍の断面を示す拡大断面図である。
【図９】本発明の第３実施形態において、外装部を開けた状態での水抜き穴近傍の断面を示す拡大断面図である。
【図１０】本発明の第４実施形態における水抜き穴近傍の断面を示す拡大断面図である。
【図１１】図１に示す移動体内部の構造を示す概略断面図である。
【図１２】図１１の排水部材近傍を拡大して示す概略断面図である。
【図１３】上部ユニットが下部ユニットに対して開いている状態を示す概略構成図である。
【図１４】図１３に示す部分Ｒ１近傍を示す概略構成図である。
【図１５】図１３に示す排水部材を正面側の下方から視た概略斜視図である。
【図１６】図１５に示す部分Ｒ２を示す概略斜視図である。
【図１７】上部ユニットにおける排水部材の一例を示す概略構成図である。
【図１８】上部ユニットにおける排水部材の他の例を示す概略構成図である。
【図１９】上部ユニットにおける排水部材のさらに他の例を示す概略構成図である。
【発明を実施するための形態】
【００１８】
（第１実施形態）
以下、本発明の第１実施形態に係る移動体について、図面を参照して説明する。
【００１９】
図１は、本発明の第１実施形態に係る移動体を示す概略側面図であり、図２は、図１に示す移動体において、上部ユニットが開いた状態を示す概略側面図であり、図３は、図１に示す移動体を上面視した状態を示す概略上面図である。
【００２０】
本発明の第１実施形態に係る移動体１は、予め設定された所定の経路に沿って移動する３輪又は４輪以上（図１では、４輪）の車両である。移動体１は、電動モータ等の駆動源（図示省略）、電源等のエネルギー供給源（図示省略）、および制御装置５ａ（具体的には制御基板）等の電気部品類５を備えている。移動体１は、エネルギー供給源からエネルギーが供給されることで、駆動源によって駆動する。本実施の形態において、電源は、充電池とされ、走行機能、距離検出機能、および通信機能を行うための電力を供給する。
【００２１】
移動体１は、主として、前方（図１ないし図３に示す進行方向Ｄ）に向かって直進し、制御装置５ａからの指示信号にて各車輪６〜６の駆動制御を行うことにより、進行速度及び／又は進行方向Ｄを変更することができる。例えば、移動体１は、４つの車輪６をそれぞれ独立して駆動制御し、回転速度に差を設けることで進行方向Ｄを変えたり、回転方向を互いに逆方向にして、位置を変えずに旋回（定置旋回）したりする。なお、移動体１の走行方法は、車輪６に限らず、車輪６等に架設される無端ベルトを含む無限軌道を用いてもよい。なお、以下では説明のため、前方側の車輪６を前輪６ａと呼び、後方側の車輪６を後輪６ｂと呼ぶことがある。
【００２２】
上述した移動体１は、例えば、監視センターと通信しながら不審者や不審物等の監視対象（被検知物）を監視する監視用ロボットとして利用することができ、監視装置７（具体的には画像撮影部）およびアーム部８を備えた自律走行型監視車両とされている。
【００２３】
そして、移動体１は、ヒンジ部４を介して、互いの端部同士を接続された下部ユニット２および上部ユニット３と、上部ユニット３の周囲を覆う外装部２００（具体的には外装カバー類）とを備え、上部ユニット３は、下部ユニット２に対してヒンジ部４を介して開閉可能な構成とされている。すなわち、移動体１は、いわゆるクラムシェル機構を有している。なお、下部ユニット２は、上部ユニット３と同様に、外装部２００に覆われた構成とされていてもよく、上部ユニット３を覆う外装部２００と、下部ユニット２を覆う外装部２００とが分離する構成とされていればよい。
【００２４】
下部ユニット２には、駆動源、電源、制御装置５ａ等の電気部品類５が収納されており、電気部品類５は、下部ユニット２の上面の開口から若干上部に突出している。
【００２５】
上部ユニット３には、監視装置７及びアーム部８が設けられている。具体的に、アーム部８は、一端が上部ユニット３（外装部２００）の上面に設けられており、他端に監視装置７を備えた長尺状の部材とされている。アーム部８は、上部ユニット３への配設箇所を起点に回動する構成とされており、回動することで他端に設けられた監視装置７を鉛直方向Ｖに移動させることができる。監視装置７は、例えば、ＰＴＺカメラであり、制御装置５ａに制御され、移動体１の周囲の画像および映像を撮影する。なお、移動体１には、監視装置７として画像撮影部だけでなく、物体を検知するセンサ等の検知部が設けられていてもよい。
【００２６】
下部ユニット２及び上部ユニット３は、上面視で略同一の形状とされており、本実施の形態では、進行方向Ｄで長い長方形状とされている。なお、下部ユニット２及び上部ユニット３は、上面視で多角形状、円形状、楕円形状等の何れの形状であってもよい。
【００２７】
下部ユニット２の外壁面２ａおよび上部ユニット３の外壁面３ａは、鉛直方向Ｖに沿って略直線的に形成されている。なお、下部ユニット２の外壁面２ａ及び上部ユニット３の外壁面３ａは、直線的に形成されていてもよいし、曲線的に形成されていてもよい。
【００２８】
下部ユニット２及び上部ユニット３は、上部ユニット３が閉じている状態（全閉の状態）において外周の各外壁面２ａおよび外壁面３ａが揃っている又は略揃っている。下部ユニット２及び上部ユニット３は、互いに対向する面が開口されたボックス型のユニットとされている。
【００２９】
ヒンジ部４は、下部ユニット２及び上部ユニット３の後方側（具体的には後端部）に設けられており、ヒンジ部４の回動軸４ａ（回動軸線）が左右方向Ｈ１に沿うように構成されている。なお、ヒンジ部４は、下部ユニット２及び上部ユニット３の前方側（具体的には前端部）に設けられていてもよい。また、下部ユニット２及び上部ユニット３に対して、ヒンジ部４を左方側または右方側に設けた際には、回動軸４ａを前後方向Ｈ２に沿うように構成すればよい。
【００３０】
上部ユニット３は、ヒンジ部４の回動軸４ａを中心に、下部ユニット２に対して９０度よりも小さい所定の開放角度θａ（図２参照）まで、開く（開放する）ことができる。ここで、開放角度θａは、上部ユニット３が下部ユニット２に対して完全に開いたとき（全開のとき）の角度であり、例えば、４０度〜４５度の間の何れかの角度とすることができる。本実施の形態において、開放角度θａは、略４０度とされている。
【００３１】
移動体１は、上部ユニット３が開いているときに、下部ユニット２に対して上部ユニット３を支えるための支持部材９が設けられている。これにより、移動体１は、開いている状態において上部ユニット３の降下を防止することができる。支持部材９としては、ガスダンパ等のダンパやバネ等の付勢部材を用いることができ、本実施の形態において、支持部材９はガスダンパとされている。支持部材９は、０度から所定の角度（例えば１５度程度）までは閉じる方向に付勢し、所定の角度を超えると開く方向に付勢する構成とされている。上部ユニット３は、全開にされたとき、それ以上開かないように、開く方向への回動が規制される構成とされている。
【００３２】
また、移動体１は、上部ユニット３が閉じているときに、下部ユニット２に対して上部ユニット３をロック（固定）するためのロック部材１０が設けられている。ロック部材１０は、従来公知のものを用いればよく、詳しい説明を省略する。
【００３３】
また、移動体１の前端部で左右方向Ｈ１の中央部には、中央構成部１４が設けられている。本実施の形態において、中央構成部１４には、光学的に被検知物を検知する光学検知部１４ａが設けられている。
【００３４】
光学検知部１４ａは、光を用いて被検知物を検知するものであれば、何れのものも用いることができる。光学検知部１４ａとしては、例えば、光ビームを照射して被検知物の位置、距離、形状を特定するＬＩＤＡＲ（Ｌｉｇｈｔ  Ｄｅｔｅｃｔｉｏｎ  ａｎｄ  Ｒａｎｇｉｎｇ）、撮像カメラ等を挙げることができる。
【００３５】
また、移動体１の前端部で左右方向Ｈ１の両端部には、両端構成部１５が設けられている。本実施の形態において、両端構成部１５には、ヘッドライト１５ａおよび超音波検知部１５ｂが設けられている。
【００３６】
さらに、移動体１には、水がかかった場合に外部に排水するための排水構造１００が上部ユニット３と外装部２００とに設けられている。次に、外装部２００における排水構造１００を説明し、上部ユニット３における排水構造１００については、後述する図１１ないし図１９を参照して、詳細に説明する。
【００３７】
上部ユニット３を覆う外装部２００には、内部に溜まった水を外部へ排出するための排水構造１００が設けられている。具体的に、上部ユニット３を覆う外装部２００は、底面に対して、高さ方向（鉛直方向Ｖ）で傾斜した部位を有する曲げ形状部２０１が設けられており、曲げ形状部２０１は、下側が凸となるように曲がっている。そして、曲げ形状部２０１には、外装部２００の内側から外側へ開口した水抜き穴２０２（後述する図４参照）が形成されている。
【００３８】
曲げ形状部２０１は、上面視において（図３参照）、移動体１の左右方向Ｈ１で対向する側面に沿う位置であって、一部が前輪６ａの前面側端部と重なる位置に設けられている。上部ユニット３を覆う外装部２００は、上面視において、下部ユニット２より外側へ突出した形状とされている。そして、曲げ形状部２０１は、上面視において、下部ユニット２より外側の領域に設けられている。本実施の形態において、曲げ形状部２０１は、左右方向Ｈ１で下部ユニット２の外側に配置されている。
【００３９】
図４は、外装部の内側から見た曲げ形状部を示す拡大上面図であって、図５は、図４の矢符Ａ−Ａでの断面を示す拡大断面図である。なお、図５は、上部ユニット３が閉じている状態を示している。
【００４０】
曲げ形状部２０１は、ヒンジ部４から離間するに従って、下方へ傾斜する第１面部２０３と、第１面部２０３とは異なる角度で、第１面部２０３の下端から延伸された第２面部２０４とで構成されている。詳しくは、第２面部２０４は、第１面部２０３の前面側から延伸され、第１面部２０３と一体的に形成されている。図５に示す水平補助線ＬＨは、水平方向Ｈに平行な直線を示している。第１面部２０３が水平方向Ｈに対して傾斜した角度（第１面角度ＡＮ１）は、本実施の形態において、略４５度とされている。また、第２面部２０４は、水平方向Ｈに対して平行とされている。なお、第１面部２０３と第２面部２０４とが接続された部分（曲げ形状部２０１の頂点）は、徐々に傾きが変わるように、丸みを帯びた（湾曲させた）形状とされている。
【００４１】
水抜き穴２０２は、第１面部２０３と第２面部２０４との接点（接続部）に設けられている。具体的に、水抜き穴２０２は、曲げ形状部２０１における傾斜の頂点を含むように設けられており、第１面部２０３の端部から第２面部２０４の端部に亘って形成されている。水抜き穴２０２は、前後方向Ｈ２で長い長穴とされており、左右方向Ｈ１で離間させて複数設けられている。したがって、第１面部２０３では、水抜き穴２０２へ向かって水が流れるように傾斜しているので、確実に水抜き穴２０２から水を排出することができる。
【００４２】
外装部２００を閉じた状態では、曲げ形状部２０１において、水抜き穴２０２を含む第２面部２０４が最下点を構成しており、第２面部２０４を伝って誘導される水は、水抜き穴２０２から外部へ排出される。さらに、第２面部２０４において、水抜き穴２０２よりも前方側に水が溜まっていたとしても、移動体１が進行方向Ｄへ加速した際の慣性力によって、進行方向Ｄの反対側に移動した水が、水抜き穴２０２から排出される。
【００４３】
図３に示すように、水抜き穴２０２は、両端構成部１５の後方に設けられている。それによって、両端構成部１５から侵入した水を水抜き穴２０２から排水し、下部ユニット２を覆う外装部２００への水の浸入を効果的に防止することができる。
【００４４】
本実施の形態では、第１面部２０３と、第１面部２０３より後方側とで水が行き来しないように、仕切（図示しない）を設けるなどして分断されている。なお、これに限らず、外装部２００の底面のうち、第１面部２０３より後方側、例えば、前輪６ａの上方に位置する部分を開口させて、水が排出される構造としてもよい。
【００４５】
上述した第１面部２０３は、前輪６ａの上方に位置しており（例えば、図１参照）、上端に前輪６ａの形状に沿った曲面を有している。なお、第１面部２０３の形状は、これに限定されず、全体を前輪６ａの形状に沿って、上側が凸となるように曲がった曲面としてもよい。それによって、曲げ形状部２０１と車輪６との間の距離を狭くして、移動体１の小型化を図ることができる。
【００４６】
図６は、外装部を開けた状態での水抜き穴近傍の断面を示す拡大断面図である。
【００４７】
図６は、図５に対して、外装部２００（上部ユニット３）を開けた状態を示している。図６に示す開放角度ＡＮ２は、外装部２００が下部ユニット２に対して開かれた角度を示し、図２に示す開放角度θａと同様に、略４０度とされている。なお、開放角度ＡＮ２は、外装部２００の底面が上方を向かない（反転しない）ように、９０度より小さく設定されていることが望ましい。外装部２００を開けた状態では、曲げ形状部２０１における水抜き穴２０２の部分が最下点を含んでいる。
【００４８】
詳しくは、第１面角度ＡＮ１が開放角度ＡＮ２より大きく設定されている。その結果、第１面部２０３は、外装部２００を開けた状態でも、水抜き穴２０２が下方となるように傾斜している。一方、第２面部２０４は、後方側が下方となるように向きが変わるので、水抜き穴２０２が下方に位置する。その結果、外装部２００を開けた状態においても、曲げ形状部２０１に溜まった水が水抜き穴２０２へ誘導される。このように、第１面角度ＡＮ１を開放角度ＡＮ２より大きく設定することで、外装部２００を開けた際でも、水抜き穴２０２の部分が曲げ形状部２０１の最下点を含むので、確実に流水を誘導することができる。
【００４９】
このように、外装部２００の排水構造１００では、外装部２００が設けられた上部ユニット３の開閉状態に拘わらず、曲げ形状部２０１において、水抜き穴２０２に対応する領域が最下点を含んでいる。
【００５０】
上述した外装部２００の排水構造１００では、外装部２００を開けた際でも、閉じた際でも、流水の流れが集中する箇所に水抜き穴２０２を設けることで、雨水等の外部から流入した水が溜まるのを抑えることができる。また、水抜き穴２０２を設けて排水する箇所を特定することで、外装部２００を開けた際に、意図しない流水の流れによって、移動体１の内部へ水が落ちることを抑制することができる。
【００５１】
本実施の形態では、前輪６ａの前方側に水抜き穴２０２を有する曲げ形状部２０１を設けたが、これに限定されず、後輪６ｂの前方側や、外装部２００の後端などに水抜き穴２０２を有する曲げ形状部２０１を設けてもよい。また、ヒンジ部４を設ける位置を変更した場合には、それに応じて、曲げ形状部２０１を設ける位置を適宜変更することができる。
【００５２】
また、本実施の形態では、上面視した際に、下部ユニット２と重ならない位置に水抜き穴２０２を設けているので、排出された水が下部ユニット２へ落ちるのを抑えることができる。
【００５３】
ところで、水抜き穴２０２を大きくし過ぎると、排水には有効となるが、外装部２００の支持構造が脆弱になり易いので、強度に不安が生じる。また、大きな空隙が存在すると、ユーザが内部に手指を挿し入れるなど、意図しない物体が移動体１の内部に入り込むことで、二次的な不都合が生じる虞がある。そのため、水抜き穴２０２は、曲げ形状部２０１の最下点を含む程度の長さとし、左右方向Ｈ１の幅を小さくすることで、外装部２００の強度を保ちつつ、意図しない物体が内部に入り込むことを防止できる。
【００５４】
本実施の形態において、水抜き穴２０２は、前後方向Ｈ２の幅が１６ｍｍとされ、左右方向Ｈ１の幅が５ｍｍとされている。ここで、水抜き穴２０２は、長手方向が進行方向Ｄとなるように設定されており、長手方向（前後方向Ｈ２）の幅は、曲げ形状部２０１の湾曲部（第１面部２０３と第２面部２０４との接続部）を全て含む長さとされている。
【００５５】
（第２実施形態）
次に、本発明の第２実施形態に係る移動体について、図面を参照して説明する。なお、第２実施形態では、第１実施形態と略同様の概略構造をしているので、同様の符号を付して、図面および説明を省略する。
【００５６】
図７は、本発明の第２実施形態における外装部の内側から見た曲げ形状部を示す拡大上面図である。
【００５７】
第２実施形態では、第１実施形態に対して、水抜き穴２０２に向けて水を案内するガイド部２０５が、水抜き穴２０２近傍に設けられている点で異なる。具体的に、曲げ形状部２０１には、下方へ向かうに従って、水抜き穴２０２へ接近するように延伸されたガイド部２０５が設けられている。ガイド部２０５は、周囲（外装部２００の内側面）に対して段差が設けられている。本実施の形態において、ガイド部２０５は、周囲より高く形成されたリブとされ、前後方向Ｈ２および左右方向Ｈ１に対して傾斜した方向へ延伸されている。また、ガイド部２０５は、それぞれの水抜き穴２０２に対して周囲４カ所に設けられており、水抜き穴２０２に対して、前方側の左右端部と、後方側の左右端部とに繋がる位置に設けられている。ガイド部２０５の端部は、隣接する水抜き穴２０２へ誘導するガイド部２０５の端部と連結されている。隣り合うガイド部２０５同士の連結部は、それぞれに対応する水抜き穴２０２同士の略中央に位置している。本実施の形態において、ガイド部２０５は、水抜き穴２０２に向かって直線的に延伸されているが、これに限定されず、曲線的に延伸されていてもよい。
【００５８】
第１面部２０３および第２面部２０４の傾斜に沿って流れる水は、ガイド部２０５に到達すると、矢符Ｃのように、ガイド部２０５に沿う向きに誘導される。そのため、曲げ形状部２０１における水抜き穴２０２が存在しない部分（具体的には、隣り合う水抜き穴２０２同士の間）での水の滞留を抑え、確実に流水を排水することができる。
【００５９】
本実施の形態では、ガイド部２０５を周囲から突出したリブとしたが、これに限定されず、ガイド部２０５を周囲より凹んだ溝としてもよい。ガイド部２０５を溝とした場合、ガイド部２０５に到達した水は、ガイド部２０５内を通って水抜き穴２０２へ誘導される。
【００６０】
（第３実施形態）
次に、本発明の第３実施形態に係る移動体について、図面を参照して説明する。なお、第３実施形態では、第１実施形態および第２実施形態と略同様の概略構造をしているので、同様の符号を付して、図面および説明を省略する。
【００６１】
図８は、本発明の第３実施形態における水抜き穴近傍の断面を示す拡大断面図であって、図９は、本発明の第３実施形態において、外装部を開けた状態での水抜き穴近傍の断面を示す拡大断面図である。
【００６２】
図８は、図５と同様に、前後方向Ｈ２に沿った断面を示している。第３実施形態では、第１実施形態に対して、第２面部２０４の傾斜が異なっている。具体的に、外装部２００を閉じた状態において、第２面部２０４は、水抜き穴２０２に向かうに従って、下方へ傾斜している。第２面部２０４が水平方向Ｈに対して傾斜した角度（第２面角度ＡＮ３）は、本実施の形態において、略１０度とされている。このように、第２面部２０４が傾斜していることで、確実に水抜き穴２０２から水を排出することができる。
【００６３】
また、第２面部２０４の傾斜を小さくしておくことで、外装部２００を開けた状態でも、第１実施形態と同様に、水抜き穴２０２へ排水が集中する構造を維持できる。つまり、第２面部２０４の内側面が反転して、下方を向かないように、第２面角度ＡＮ３は、９０度から開放角度ＡＮ２（θａ）を引いた値よりも小さく設定されていることが好ましい（ＡＮ３＜９０度−ＡＮ２）。それによって、外装部２００を開けた状態でも、第２面角度ＡＮ３は、９０度より小さい角度で維持される。
【００６４】
（第４実施形態）
次に、本発明の第４実施形態に係る移動体について、図面を参照して説明する。なお、第４実施形態では、第１実施形態ないし第３実施形態と略同様の概略構造をしているので、同様の符号を付して、図面および説明を省略する。
【００６５】
図１０は、本発明の第４実施形態における水抜き穴近傍の断面を示す拡大断面図である。
【００６６】
図１０は、図４の矢符Ｂ−Ｂでの断面に相当し、左右方向Ｈ１に沿った断面を示している。第４実施形態では、第１実施形態に対して、水抜き穴２０２の周囲に誘導傾斜部２０６が設けられている点で異なっている。具体的に、誘導傾斜部２０６は、水抜き穴２０２の周囲に設けられ、曲げ形状部２０１の傾斜と交わる方向（左右方向Ｈ１）で傾斜し、水抜き穴２０２に向かうに従って、下方へ傾斜している。このように、曲げ形状部２０１の傾斜における前後方向Ｈ２だけでなく、誘導傾斜部２０６における左右方向Ｈ１でも流水を誘導することで、外装部２００内での水の滞留をさらに抑制することができる。
【００６７】
（排水部材）
次に、移動体において、上部ユニット３に設けられた排水部材１１０について、図面を参照して説明する。
【００６８】
図１１は、図１に示す移動体内部の構造を示す概略断面図である。図１２は、図１１の排水部材近傍を拡大して示す概略断面図である。図１３は、上部ユニット３が下部ユニット２に対して開いている状態を示す概略構成図である。図１４は、図１３に示す部分Ｒ１近傍を示す概略構成図である。図１５は、図１３に示す排水部材を正面側の下方から視た概略斜視図である。
【００６９】
なお、図１１は、図１に示す移動体１から外装部２００等を取り外した状態を示し、図１３は、図１に示す移動体１から下部ユニット２及び上部ユニット３を抜き出した状態を示し、図１５は、上部ユニット３の外壁面３ａに設けられた排水部材１１０における庇部１１１と下部ユニット２との位置関係を示している。
【００７０】
ところで、移動体１では、水Ｗ（具体的には雨）がかかる場所で使用する場合（例えば屋外で使用する場合）、移動体１の内部に水Ｗが入り込むことがあり、そうすると、水Ｗが入り込むことによる不都合〔例えば制御装置５ａ等の電気部品類５（図１１、図１３参照）の故障〕が発生することがある。
【００７１】
この点、本実施の形態では、排水構造１００は、上部ユニット３の外壁面３ａに設けられる排水部材１１０を備えている。排水部材１１０は、上部ユニット３の外壁面３ａにおいて突出する庇部１１１を有している。排水部材１１０は、上部ユニット３が閉じている状態では、庇部１１１の先端１１１ａ（図１１、図１２参照）側が下向きになるように構成されている。ここで、上部ユニット３が閉じている状態とは、上部ユニット３が下部ユニット２に対して全閉の状態にあることを意味し、上部ユニット３が開いている状態とは、上部ユニット３が下部ユニット２に対して全開の状態にあることを意味する。
【００７２】
本実施の形態によれば、排水部材１１０が上部ユニット３の外壁面３ａに設けられる構成であるので、移動体１全体を完全防水仕様にしなくてもよく、それだけコストを抑えることができる。また、排水部材１１０が上部ユニット３の外壁面３ａに設けられる構成であるので、デザイン上での制約を受け難くすることができる。そして、排水部材１１０は、上部ユニット３の外壁面３ａにおいて突出する庇部１１１を有し、上部ユニット３が閉じている状態では、庇部１１１の先端１１１ａ側が下向きになるように構成されているので、上部ユニット３が閉じている状態において、上方から落下する水Ｗや上部ユニット３の外壁面３ａの庇部１１１よりも上方から伝って落ちてくる水Ｗを庇部１１１で受け止めた後、庇部１１１を伝って下方に流すことができ、さらに、下部ユニット２よりも外側に落下させて排水することができる。これにより、下部ユニット２に水Ｗを入り難くすることができる。従って、上部ユニット３を開くのに先立って作業者が上部ユニット３に溜まっている水Ｗを拭き取らなくてもよく、従って、上部ユニット３を開く際の作業者による作業性の悪化を回避することができる。
【００７３】
本実施の形態では、中央構成部１４の下方に庇部１１１が設けられている。これによって、上部ユニット３を開いた際、中央構成部１４から落下した水Ｗが下部ユニット２へ侵入することを効果的に防止できる。
【００７４】
ここで、前記した構成及び作用は、移動体１が水平な設置面Ｓ（図１１参照）に設置されていることを基準としており、勿論、設置面Ｓの状態によって変化する。そのため、移動体１に対する設置面Ｓの状態に応じて、排水構造１００の傾きを変化させることで、前記した構成及び作用を一定又は略一定に維持するように構成してもよい。このことは後述する第５実施形態以降の排水構造１００についても同様である。
【００７５】
庇部１１１は、平板状に形成されていてもよいし、図示を省略したが、先端１１１ａ側に行くに従って次第に下方に湾曲する湾曲状に形成されていてもよい。
【００７６】
ところで、図１２に示すように、移動体１が水平な設置面Ｓに設置されている状態において、上部ユニット３が閉じている状態での庇部１１１の水平方向Ｈに対する下向傾斜角度θｂ１（庇部１１１が湾曲状に形成されている場合には、庇部１１１の基端１１１ｂを通る仮想接線の水平方向Ｈに対する角度）は、小さ過ぎると、水Ｗが庇部１１１に溜まり易い。一方、下向傾斜角度θｂ１は、大き過ぎると、排水部材１１０の上部ユニット３の外壁面３ａへの取り付け作業性が悪化し易い。
【００７７】
この点、本実施の形態では、下向傾斜角度θｂ１は、例えば、５度〜１５度程度を挙げることができる。この例では、下向傾斜角度θｂ１は、１０度程度とされている。
【００７８】
こうすることで、庇部１１１での水Ｗの流れ性の向上と、排水部材１１０の上部ユニット３の外壁面３ａへの取り付け作業性の向上との両立を実現させることができる。
【００７９】
また、庇部１１１の突出長さＬ（水平方向Ｈにおける長さ）（図１２参照）は、上部ユニット３が閉じている状態において、水Ｗが下部ユニット２の内部に入り込み難い長さとすることができる。具体的には、庇部１１１の突出長さＬは、上部ユニット３が閉じている状態において庇部１１１の先端１１１ａが下部ユニット２よりも外側（この例では前方側）に位置する長さとすることができる。
【００８０】
（第５実施形態）
排水部材１１０は、上部ユニット３の正面側（前方側）の外壁面３ａ（３ａ１）（図３参照）、背面側（後方側）の外壁面３ａ（３ａ２）、左側面側（左方側）の外壁面３ａ（３ａ３）、右側面側（右方側）の外壁面３ａ（３ａ４）のうち少なくとも１つの外壁面３ａに設けることができる。
【００８１】
しかし、図１３に示すように、下部ユニット２に対して上部ユニット３を開くときには、ヒンジ部４に対して反対側の外壁面３ａ（３ａ１）の下端３ｂが、下部ユニット２の内側領域αの上方に位置している。この場合、外壁面３ａ１を伝って落ちてくる水Ｗが、下部ユニット２の内部（例えば制御装置５ａ等の電気部品類５が設けられている箇所）に入り込み易い。
【００８２】
この点、本実施の形態では、排水部材１１０は、上部ユニット３のヒンジ部４とは反対側の外壁面３ａ（３ａ１）に設けられている。こうすることで、上部ユニット３を下部ユニット２に対して開くとき、たとえ、上部ユニット３のヒンジ部４とは反対側の外壁面３ａ（３ａ１）の下端３ｂが、下部ユニット２の内側領域αの上方に位置したとしても、排水部材１１０によって水Ｗを確実に排水することができる。これにより、上部ユニット３の外壁面３ａ（３ａ１）を伝う水Ｗが、下部ユニット２の内部に入り込み難くすることができる。
【００８３】
（第６実施形態）
ところで、上部ユニット３が開いている状態において、庇部１１１の先端１１１ａ側が下向きになるように構成されている場合には、庇部１１１を伝う水Ｗが、先端１１１ａから落下することになる。そうすると、庇部１１１の先端１１１ａから落下する水Ｗが下部ユニット２の内部に入り込み易い。従って、庇部１１１から落下する水Ｗが下部ユニット２の内部に入り込み難くすることが望まれる。
【００８４】
この点、本実施の形態において、排水部材１１０は、上部ユニット３が開いている状態では、庇部１１１の先端１１１ａ側が上向きになるように構成されている（図１３及び図１４参照）。
【００８５】
こうすることで、たとえ上部ユニット３を下部ユニット２に対して開く動作中や全開の状態でも、庇部１１１を伝って落ちてくる水Ｗや庇部１１１に溜まっている水Ｗを、庇部１１１の基端１１１ｂ（図１３及び図１４参照）側に集めてヒンジ部４の回動軸４ａ方向（この例では左右方向Ｈ１）における両端１１１ｃ，１１１ｃ（図１５参照）から落下させて排水することができる。これにより、庇部１１１から落下する水Ｗが下部ユニット２の内部に入り込み難くすることができる。
【００８６】
ここで、移動体１が水平な設置面Ｓに設置されて、上部ユニット３を開いた状態において、水平方向Ｈに対する庇部１１１の上向傾斜角度θｂ２（図１４参照）（庇部１１１が湾曲状に形成されている場合には、庇部１１１の基端１１１ｂを通る仮想接線の水平方向Ｈに対する角度）は、開放角度θａ及び下向傾斜角度θｂ１によって決まるが、例えば、開放角度θａが４０度程度であり、下向傾斜角度θｂ１が５度〜１５度程度である場合、上向傾斜角度θｂ２は、２５度~３５度程度を挙げることができる。この例では、上向傾斜角度θｂ２は、３０度程度とされている。
【００８７】
また、本実施の形態において、排水部材１１０は、上部ユニット３が開いている状態では、庇部１１１の先端１１１ａ側が下向きになるように構成されており、庇部１１１の突出長さＬ（図１４参照）は、上部ユニット３が開いている状態において庇部１１１の先端１１１ａがヒンジ部４の回動軸４ａ方向（回動軸線方向）と直交する水平方向Ｈ（この例では前後方向Ｈ２）において下部ユニット２よりも外側に位置する長さとされていてもよい。この場合でも、庇部１１１から落下する水Ｗを下部ユニット２の外側へ排水するのに有効となる。
【００８８】
（第７実施形態）
ところで、上部ユニット３を下部ユニット２に対して開くときには、ヒンジ部４が設けられる位置や上部ユニット３及び下部ユニット２の形状によっては、上部ユニット３のヒンジ部４側（この例では後方側）の外壁面３ａ（３ａ２）の下端３ｂ（図１３参照）が下部ユニット２の内側領域α内又は内側領域αの上方に位置することがある。この場合、上部ユニット３のヒンジ部４側の外壁面３ａ（３ａ２）を伝って落ちてくる水Ｗが下部ユニット２の内部に入り込み易い。
【００８９】
そこで、本実施の形態において、排水部材１１０は、上部ユニット３のヒンジ部４側の外壁面３ａ（３ａ２）に設けられている態様を例示できる。
【００９０】
こうすることで、上部ユニット３を下部ユニット２に対して開くときに、たとえ、上部ユニット３のヒンジ部４側の外壁面３ａ（３ａ２）の下端３ｂが下部ユニット２の内側領域α内又は内側領域αの上方に位置したとしても、上部ユニット３のヒンジ部４側の外壁面３ａ（３ａ２）において水Ｗを確実に排水することができる。これにより、上部ユニット３のヒンジ部４側の外壁面３ａ（３ａ２）における水Ｗが下部ユニット２の内部に入り込み難くすることができる。
【００９１】
ここで、庇部１１１の突出長さＬは、上部ユニット３の開閉状態に関わらず、庇部１１１の先端１１１ａがヒンジ部４の回動軸４ａ方向と直交する水平方向Ｈ（この例では前後方向Ｈ２）において、下部ユニット２よりも外側（この例では後方側）に位置する長さとされる。また、庇部１１１は、上部ユニット３が開いている状態では、下部ユニット２に接触しないようにすることが好ましい。
【００９２】
（第８実施形態）
本実施の形態において、排水部材１１０における庇部１１１は、庇部サイズｄ１（図１５参照）が下部ユニットサイズｄ２と同じ又は略同じサイズ、或いは、下部ユニットサイズｄ２よりも大きいサイズとされている。庇部サイズｄ１は、上部ユニット３の外壁面３ａに沿った水平方向Ｈ（この例ではヒンジ部４の回動軸４ａ方向）（長手方向）における庇部１１１のサイズである。下部ユニットサイズｄ２は、下部ユニット２の外壁面２ａに沿った水平方向Ｈ（この例ではヒンジ部４の回動軸４ａ方向）（長手方向）における下部ユニット２のサイズである。
【００９３】
こうすることで、庇部１１１よりも上方から伝って落ちてくる水Ｗを下部ユニット２の外壁面２ａに沿った水平方向Ｈにおける両外側に逃すことができる。これにより、庇部１１１を伝って落ちる水Ｗを下部ユニット２にさらに入り難くすることができる。
【００９４】
この例では、庇部１１１は、庇部サイズｄ１が下部ユニットサイズｄ２よりも大きいサイズとされている。また、庇部１１１は、四角形状（具体的には長方形状）の平板部材（具体的にはシート状の部材）とされている。なお、四角形状の平板部材の庇部１１１において、先端１１１ａ側の角部を面取りしてもよい。
【００９５】
この例では、庇部１１１は、平板部材とされているが、上部ユニット３の外壁面３ａに沿った水平方向Ｈにおいて、板状部が内側から外側に向けて次第に低くなるように屈曲する屈曲角山形状（例えば中央部又は略中央部を頂点として屈曲する屈曲角山形状）の板状部材であってもよいし、上部ユニット３の外壁面３ａに沿った水平方向Ｈにおいて、板状部が内側から外側に向けて次第に低くなるように湾曲する湾曲円弧形状の板状部材であってもよい。
【００９６】
こうすることで、庇部１１１の上部ユニット３の外壁面３ａに沿った水平方向Ｈにおける両端１１１ｃ，１１１ｃから水Ｗを落下させ易くすることができる。
【００９７】
（第９実施形態）
図１６は、図１５に示す部分Ｒ２を示す概略斜視図である。なお、排水部材１１０は、水平方向Ｈにおける両側（この例では左方側及び右方側）で実質的に同じ構成であるため、図１６では、排水部材１１０の一方側（この例では左方側）について、端部を拡大して示している。
【００９８】
ところで、排水部材１１０を伝って流れる水Ｗは、排水部材１１０の排水部１１０ａ（図１５および図１６参照）において、定位置から落下することが好ましい。これに対し、排水部１１０ａにおいて水Ｗが定位置又は略定位置で落下しない場合、すなわち、排水部１１０ａが水平な平面又は水平に近い平面である場合には、傾斜が小さい排水部１１０ａの何れの位置から落下するか特定することができない。
【００９９】
この点、本実施の形態において、排水部材１１０は、上部ユニット３の開閉状態に関わらず、水Ｗが定位置又は略定位置で落下する水落下定点Ｐとなる排水部１１０ａを有している。
【０１００】
こうすることで、水Ｗを排水部１１０ａにおける水落下定点Ｐで落下させることができる。これにより、排水部材１１０の排水部１１０ａにおいて、水Ｗを水落下定点Ｐから落下させて水Ｗの落下位置を特定することができる。
【０１０１】
（第１０実施形態）
本実施の形態において、水落下定点Ｐとなる排水部１１０ａは、水平方向Ｈ（この例では左右方向Ｈ１）において下部ユニット２よりも外側に設けられている。詳しくは、排水部１１０ａは、上部ユニット３の開閉状態に関わらず、水平方向Ｈで下部ユニット２よりも両外側にはみ出している部分に設けられている。
【０１０２】
こうすることで、水Ｗを排水部１１０ａから、下部ユニット２よりも外側に確実に落下させることができる。これにより、排水部１１０ａから落下する水Ｗを、下部ユニット２にさらに入り込み難くすることができる。
【０１０３】
（第１１実施形態）
排水部材１１０では、庇部１１１を支持する基部１１２（例えば、図１５参照）が、上部ユニット３の外壁面３ａ（３ａ１）に設けられている。基部１１２は、上部ユニット３の外壁面３ａに沿った水平方向Ｈ（この例では左右方向Ｈ１）におけるサイズ（基部サイズｄ３）が、下部ユニットサイズｄ２よりも大きいサイズとされている。
【０１０４】
そして、基部１１２は、水平方向Ｈにおける両端１１２ｂ，１１２ｂ（図１６参照）と下端１１２ｃとでそれぞれ鋭角を構成する一対の角部１１２ｄ，１１２ｄを有し、一対の角部１１２ｄ，１１２ｄが水落下定点Ｐ（排水部１１０ａ）とされている。
【０１０５】
こうすることで、庇部１１１を支持して上部ユニット３の外壁面３ａに設けられる基部１１２といった簡単な構成で、上部ユニット３の開閉状態に関わらず水落下定点Ｐとなる排水部１１０ａを容易に実現させることができる。
【０１０６】
なお、本実施の形態では、水落下定点Ｐとなる排水部１１０ａは、上部ユニット３の開閉状態に関わらず、同一又は略同一箇所となる構成とされている。但し、それに限定されるものではなく、水落下定点Ｐとなる排水部１１０ａは、上部ユニット３が開いている状態と閉じている状態とで異なる箇所となる構成とされていてもよい。
【０１０７】
（第１２実施形態）
排水部材１１０における庇部１１１に用いることができる材料は、庇として機能するものであれば、剛性を有する材料であってもよいし、或いは弾性を有する材料であってもよく、何れの材料であってもよい。庇部１１１に用いることができる材料としては、例えば、金属材料（具体的には板金）や樹脂材料等の材料を挙げることができる。
【０１０８】
ところで、庇部１１１に近傍に作業者により作業を要する作業部材１２，１２（図１５参照）（例えば、着脱部材である接続コネクタＣＮ）が設けられている場合、庇部１１１が邪魔になって作業性が悪化する。この点に関し、排水部材１１０を上部ユニット３の外壁面３ａに対して着脱可能に設け、作業者が作業部材１２，１２に対して作業する場合には、排水部材１１０を上部ユニット３から離脱させることが考えられるが、この場合、排水部材１１０を上部ユニット３から離脱させる手間及び時間を要し、例えば、緊急時の対応に時間がかかってしまう。
【０１０９】
この点、本実施の形態において、庇部１１１は、可撓性を有する材料（弾性変形する材料）で形成されている。こうすることで、作業者が作業部材１２，１２に対して作業するにあたり、作業し易いように庇部１１１を弾性的に（復帰可能に）曲げることができる。これにより、作業者は庇部１１１を曲げた状態で作業部材１２，１２に対して作業を行うことができる。従って、排水部材１１０を上部ユニット３から離脱させることなく、作業者が作業部材１２，１２に対して作業を行うことができる。これにより、排水部材１１０を上部ユニット３から離脱させる手間及び時間を削減することができ、例えば、緊急時に早急に対応することができる。
【０１１０】
ここで、可撓性を有する材料としては、樹脂材料、代表的には、ＰＥＴ（ポリエチレンテレフタレート）樹脂を挙げることができる。
【０１１１】
この例では、庇部１１１は、ＰＥＴ樹脂で形成されており、透明又は光透過性のものとされている。
【０１１２】
（第１３実施形態）
図１７は、上部ユニット３における排水部材１１０の一例を示す概略構成図である。また、図１８は、上部ユニット３における排水部材１１０の他の例を示す概略構成図である。
【０１１３】
ところで、排水部材１１０は、上述した基部１１２を有している場合において、基部１１２は、図１７に示すように、下端１１２ａが下部ユニット２の上端２ｂの位置よりも上方に位置していてもよいが、この場合、次のような不都合がある。
【０１１４】
すなわち、基部１１２を伝って流れる水Ｗは、基部１１２の下端１１２ａから落下するだけでなく、基部１１２の下端１１２ａから上部ユニット３の外壁面３ａを経て下部ユニット２側に入り込み易い。
【０１１５】
この点、本実施の形態において、基部１１２は、図１８に示すように、上部ユニット３が閉じている状態で、下端１１２ａが下部ユニット２の上端２ｂの位置又は下部ユニット２の上端２ｂよりも下方（この例では下部ユニット２の上端２ｂよりも下方）の位置に位置している。
【０１１６】
こうすることで、基部１１２を伝って流れる水Ｗは、下端１１２ａ側に流れ込み易くすることができる一方、下部ユニット２側に流れ込み難くすることができ、従って、基部１１２の下端１１２ａから落下する水Ｗの量を増やすことができる。これにより、基部１１２を伝って流れる水Ｗが下部ユニット２側に入り込むことを抑制することができる。
【０１１７】
庇部１１１は、上部ユニット３の外壁面３ａの鉛直方向Ｖにおける何れの配設位置に設けられていてもよい。但し、上部ユニット３の外壁面３ａに、外壁面３ａから突出する突出部材１３（図１５参照）（例えば、接続コネクタＣＮや接続コネクタＣＮのハーネスＨＮを挿通する挿通部材Ｍ）が設けられている場合には、庇部１１１は、突出部材１３の下方に設けることが好ましい。
【０１１８】
なお、庇部１１１は、基部１１２の鉛直方向Ｖにおける長さを短くするという観点から、上部ユニット３の外壁面３ａにおいて、鉛直方向Ｖで下部ユニット２の近傍に設けることが好ましい。具体的に、庇部１１１は、上部ユニット３の下端３ｂから下部ユニット２側へ所定距離だけ上方に離れた位置に設けることが好ましい。
【０１１９】
（第１４実施形態）
ところで、排水部材１１０における基部１１２は、図１８に示すように、下部ユニット２の上端２ｂよりも下方へ直線的に延びている場合、例えば、ヒンジ部４等の具合といった何らかの要因で、上部ユニット３の外壁面３ａ（３ａ１）が下部ユニット２の外壁面２ａに対して内側にずれてしまうと、上部ユニット３が下部ユニット２に対して閉じるときに、基部１１２が下部ユニット２に衝突し、上部ユニット３が閉じないことがある。また、場合によっては、基部１１２が変形或いは破損することがある。
【０１２０】
図１９は、上部ユニット３における排水部材１１０のさらに他の例を示す概略構成図である。なお、上述した図１１ないし図１６では、図１９に示す排水部材１１０が適用されている。
【０１２１】
上述した課題に対し、本実施の形態では、図１９に示すように、基部１１２は、基部本体部１１２１と、基部本体部１１２１の下端１１２１ａと連通し、下端１１２１ａから下方に行くに従って下部ユニット２から次第に離れる離間部１１２２とを有している。
【０１２２】
こうすることで、たとえ、ヒンジ部４等の具合等の何らかの要因で、上部ユニット３の外壁面３ａ（３ａ１）が、下部ユニット２の外壁面２ａに対して内側にずれたとしても、上部ユニット３が下部ユニット２に対して閉じるときに、離間部１１２２が上部ユニット３を下部ユニット２に沿って案内することができる。これにより、上部ユニット３を確実に閉じることができる。また、基部１１２の変形或いは破損を回避することができる。
【０１２３】
離間部１１２２は、上部ユニット３が閉じている状態において、下部ユニット２の近傍（上部ユニット３を閉じるときに上部ユニット３を下部ユニット２に沿って案内可能な位置）に位置するように設けられている。
【０１２４】
離間部１１２２は、平板状に形成されていてもよいし、図示を省略したが、先端側に行くに従って次第に上方又は下方に湾曲する湾曲状に形成されていてもよい。
【０１２５】
ところで、鉛直方向Ｖ（具体的には下部ユニット２の外壁面２ａ）に対する離間部１１２２の離間角度θｃ（図１９参照）（離間部１１２２が湾曲状に形成されている場合、離間部１１２２の上端１１２２ｂを通る仮想接線の鉛直方向Ｖに対する角度）は、小さ過ぎると、上部ユニット３が下部ユニット２に対して閉じるときに、離間部１１２２が下部ユニット２に衝突し易い。一方、離間角度θｃは、大き過ぎると、離間部１１２２での排水部１１０ａにおいて、定位置又は略定位置で落下しない状態になり易く、すなわち、排水部１１０ａが水平な平面又は水平に近い平面となり易く、そうすると、水Ｗが排水部１１０ａの何れの位置から落下するか特定することができない。
【０１２６】
この点、本実施の形態において、離間角度θｃは、例えば、１０度〜３０度程度を挙げることができ、この例では、２０度程度とされている。
【０１２７】
こうすることで、上部ユニット３が下部ユニット２に対して閉じるときの離間部１１２２の下部ユニット２への衝突の回避と、離間部１１２２の排水部１１０ａにおける水Ｗの定位置又は略定位置での落下性との両立を実現させることができる。
【０１２８】
（第１５実施形態）
ところで、庇部１１１を支持する基部１１２を用いる場合、基部１１２と庇部１１１との間、及び／又は、基部１１２と上部ユニット３の外壁面３ａとの間に隙間があると、基部１１２と庇部１１１との間、及び／又は、基部１１２と上部ユニット３の外壁面３ａとの間から水Ｗが侵入して下部ユニット２に入り易い。このことは、特に、基部１１２に対して、庇部１１１や上部ユニット３の外壁面３ａを部分的に固定する場合に顕著となる。なお、この例では、ビス等の部分的な固定部材ＳＣ（図１５ないし図１９参照）を用いて、基部１１２等を固定している。
【０１２９】
本実施の形態において、基部１１２は、シール部材１２０（１２１）を介して庇部１１１を支持し、シール部材１２０（１２２）を介して上部ユニット３の外壁面３ａに設けられている。
【０１３０】
こうすることで、基部１１２と上部ユニット３の外壁面３ａおよび庇部１１１に対し、基部１１２との間の隙間を殆ど無くして、隙間から水Ｗが侵入することを殆ど無くすことができ、水Ｗが下部ユニット２に入ることを回避することができる。このことは、特に、基部１１２等を部分的に固定する場合に有効となる。
【０１３１】
シール部材１２０に用いることができる材料としては、耐候性、防水性、止水性等の機能を有する部材であれば、何れの材料も用いることができ、例えば、軟質性の部材（具体的には多孔質材料からなる部材）、より具体的には、ウレタンフォームを用いることができる。この例では、シール部材１２０は、微細かつ略均一な高密度のセル構造を有するウレタンフォーム〔株式会社ロジャースイノアック製  ＰＯＲＯＮ（登録商標）〕で構成されている。
【０１３２】
具体的には、基部本体部１１２１（図１７ないし図１９参照）は、庇部１１１を支持する第１本体部１１２１１と、上部ユニット３の外壁面３ａに設けられる第２本体部１１２１２とを有している。第１本体部１１２１１と第２本体部１１２１２とは、一体形成されている。第１本体部１１２１１は、第２本体部１１２１２に対して所定の角度（９０度−下向傾斜角度θｂ１）で屈曲している。基部本体部１１２１（具体的には第２本体部１１２１２）と離間部１１２２とは、一体形成されている。離間部１１２２は、基部本体部１１２１（具体的には第２本体部１１２１２）に対して所定の角度（１８０度−離間角度θｃ）で屈曲している。
【０１３３】
例えば、基部１１２は、平板の板金をプレス加工及び曲げ加工を行うことが形成することができる。
【０１３４】
シール部材１２０（１２１）は、第１本体部１１２１１の内側（下側）の面に接着剤や両面粘着シート等の接着部材Ｎにより接着されている。同様に、シール部材１２０（１２２）は、第２本体部１１２１２の外側（この例では後方側）の面に接着剤や両面粘着シート等の接着部材Ｎにより接着されている。
【０１３５】
図１９に示す構成において、シール部材１２０（１２２）は、離間部１１２２と同様、下方に行くに従って下部ユニット２から次第に離れるようになっている。詳しくは、シール部材１２０（１２２）は、離間部１１２２の外側（この例では後方側）の面に接着剤や両面粘着シート等の接着部材Ｎにより接着されている。
【０１３６】
シール部材１２０（１２２）は、基部１１２（特に、離間部１１２２）よりも下側に設けることができる。この場合、シール部材１２０（１２２）の下端部も水落下定点Ｐ（この例では最下点）となる排水部１１０ａとなり得る。
【０１３７】
基部１１２（特に、離間部１１２２）における両端１１２ｂ，１１２ｂ（図１５及び図１６参照）とそれぞれ鋭角を構成する下端１１２ｃの高さ位置〔設置面Ｓ（図４参照）からの高さ位置〕は、上部ユニット３の外壁面３ａに沿った水平方向Ｈ（回動軸４ａ方向）における内側から外側に行くに従って、次第に低くなっている。詳しくは、基部１１２の下端１１２ｃは、両端１１２ｂ，１１２ｂに対して所定のコーナー角度θｄ，θｄで傾斜している。コーナー角度θｄは、大き過ぎると、排水部１１０ａにおいて定位置又は略定位置で落下しない状態になり易い一方、小さ過ぎると、基部１１２（具体的には離間部１１２２）とシール部材１２０（１２２）との接着面積、ひいては接着部材Ｎによる接着性が低下し易い。従って、コーナー角度θｄとしては、例えば、２度〜６度程度を挙げることができる。この例では、コーナー角度θｄは、４度程度とされている。
【０１３８】
こうすることで、排水部１１０ａにおける水Ｗの定位置又は略定位置での落下性と、接着部材Ｎの基部１１２及びシール部材１２０（１２２）に対する接着性との両立を実現させることができる。
【０１３９】
庇部１１１及びシール部材１２０（１２１）には、１又は複数（この例では７個）の固定部材ＳＣ〜ＳＣを貫通する貫通孔ｔ１〜ｔ１，ｔ２〜ｔ２（図１７ないし図１９参照）が設けられている。第１本体部１１２１１には、固定部材ＳＣ〜ＳＣを固定するための固定部Ｆ１〜Ｆ１（この例では固定部材ＳＣの雄ネジと螺合する雌ネジ）が設けられている。そして、庇部１１１及びシール部材１２０（１２１）は、固定部材ＳＣ〜ＳＣが貫通孔ｔ１〜ｔ１，ｔ２〜ｔ２に内側（この例では下側）から挿通した状態で固定部Ｆ１〜Ｆ１に離脱可能に固定（螺合）されることで、第１本体部１１２１１に着脱可能に設けられる。
【０１４０】
第２本体部１１２１２及びシール部材１２０（１２２）には、１又は複数（この例では４個）の固定部材ＳＣ〜ＳＣを貫通する貫通孔ｔ３〜ｔ３，ｔ４〜ｔ４（図１７ないし図１９参照）が設けられている。上部ユニット３の外壁面３ａには、固定部材ＳＣ〜ＳＣを固定するための固定部Ｆ２〜Ｆ２（この例では固定部材ＳＣの雄ネジと螺合する雌ネジ）が設けられている。そして、第２本体部１１２１２及びシール部材１２０（１２２）は、固定部材ＳＣ〜ＳＣが貫通孔ｔ３〜ｔ３，ｔ４〜ｔ４に内側（この例では前方側）から挿通した状態で固定部Ｆ２〜Ｆ２に離脱可能に固定（螺合）されることで、上部ユニット３の外壁面３ａに着脱可能に設けられる。
【０１４１】
なお、本実施の形態において、基部１１２は、庇部１１１と上部ユニット３の外壁面３ａとの両者に対し、シール部材１２０を介して固定される構成としたが、これに限定されず、庇部１１１および上部ユニット３の外壁面３ａのいずれか一方との間に、シール部材１２０を設ける構成としてもよい。
【０１４２】
上述した排水部材１１０は、曲げ形状部２０１における水抜き穴２０２に向けて水Ｗを誘導するように構成することができる。例えば、排水部材１１０における水落下定点Ｐを、曲げ形状部２０１の上方に配置すればよい。これによって、排水部材１１０を伝う水Ｗは、水抜き穴２０２を介して外部へ排水することができる。
【０１４３】
なお、今回開示した実施の形態は全ての点で例示であって、限定的な解釈の根拠となるものではない。従って、本発明の技術的範囲は、上記した実施の形態のみによって解釈されるものではなく、特許請求の範囲の記載に基づいて画定される。また、特許請求の範囲と均等の意味および範囲内での全ての変更が含まれる。
【符号の説明】
【０１４４】
１  移動体
２  下部ユニット
３  上部ユニット
４  ヒンジ部
６  車輪
２００  外装部
２０１  曲げ形状部
２０２  水抜き穴
２０３  第１面部
２０４  第２面部
２０５  ガイド部
２０６  誘導傾斜部
ＡＮ１  第１面角度
ＡＮ２、θａ  開放角度
ＡＮ３  第２面角度
Ｄ  進行方向
Ｈ  水平方向
Ｈ１  左右方向
Ｈ２  前後方向
Ｖ  鉛直方向
【図１】
2018176841.tif 000003
【図２】
2018176841.tif 000004
【図３】
2018176841.tif 000005
【図４】
2018176841.tif 000006
【図５】
2018176841.tif 000007
【図６】
2018176841.tif 000008
【図７】
2018176841.tif 000009
【図８】
2018176841.tif 000010
【図９】
2018176841.tif 000011
【図１０】
2018176841.tif 000012
【図１１】
2018176841.tif 000013
【図１２】
2018176841.tif 000014
【図１３】
2018176841.tif 000015
【図１４】
2018176841.tif 000016
【図１５】
2018176841.tif 000017
【図１６】
2018176841.tif 000018
【図１７】
2018176841.tif 000019
【図１８】
2018176841.tif 000020
【図１９】
2018176841.tif 000021